(57)【要約】  【課題】  簡素な装置構成を用いた簡便な手法によって、本体部に装着された付属品が純正品であるか否かを正確に判別できる電子機器装置を提供する。  【解決手段】  本体部側及び付属品（トナーユニット３４，ドラムユニット３５，現像器ユニット３６またはインタフェースユニット１３）側それぞれでメッセージを生成し、生成したメッセージを互いに送信し合う。本体部側及び付属品側それぞれで生成した（送信した）メッセージと受信したメッセージとを合成し、本体部側及び付属品側それぞれで合成したメッセージを同じ鍵で暗号化する。付属品側で暗号化した合成メッセージを本体部へ送信し、本体部側で付属品から受信した暗号化合成メッセージと自身が暗号化した合成メッセージとを比較する。両暗号化合成メッセージが一致する場合には、装着された付属品が純正品であると判別し、一致しない場合には、純正品でない（非純正品である）と判別する。【選択図】      図１
2005260489.tif 000002
【特許請求の範囲】
【請求項１】
電子機器と、該電子機器に着脱自在に取り付けられる付属品とを備える電子機器装置において、前記電子機器及び付属品それぞれに設けられており、メッセージを生成する手段と、前記電子機器及び付属品それぞれに設けられており、生成したメッセージを送信する手段と、前記電子機器及び付属品それぞれに設けられており、送信されたメッセージを受信する手段と、前記電子機器及び付属品それぞれに設けられており、送信したメッセージと受信したメッセージとを合成する手段と、前記電子機器及び付属品それぞれに設けられており、合成したメッセージを同じ暗号化鍵で暗号化する暗号化手段と、前記付属品に設けられており、前記付属品側で暗号化した合成メッセージを送信する手段と、前記電子機器に設けられており、暗号化した合成メッセージを受信する手段と、前記電子機器に設けられており、受信した暗号化合成メッセージと自身が暗号化した合成メッセージとを比較する手段とを備えることを特徴とする電子機器装置。
【請求項２】
前記付属品は複数種存在しており、該複数種の付属品それぞれに設けられている前記暗号化手段で使用する前記暗号化鍵が異なっており、前記電子機器には前記複数種の付属品それぞれの暗号化手段と同じ暗号化鍵をそれぞれに有する複数の暗号化手段が設けられており、取り付けられる付属品の種類に応じて前記電子機器の前記複数の暗号化手段から一つの暗号化手段を選択するようにしたことを特徴とする請求項１記載の電子機器装置。
【請求項３】
前記付属品の動作プログラムを記憶する媒体に、前記暗号化手段による暗号化動作を実行するためのプログラムが格納されていることを特徴とする請求項１記載の電子機器装置。
【発明の詳細な説明】
【技術分野】
【０００１】
本発明は、電子機器と、その電子機器に装着される付属品とを備える電子機器装置に関し、特に、装着される付属品が正規の付属品（純正品）であるか否かを判別できる電子機器装置に関するものである。
【背景技術】
【０００２】
ファクシミリ装置，プリンタ装置，コピー装置，複合機などの電子写真方式の画像形成装置にあっては、トナーユニット，ドラムユニット，現像器ユニットなどの付属品を本体部に着脱自在に構成したものが多い。例えば、トナーユニット内のトナーがなくなった場合には、空となったトナーユニットを本体部から取り外して、トナーが充填された新しいトナーユニットを本体部に装着する。
【０００３】
各画像形成装置では、その設計仕様に適合した正規の付属品（純正品）を使用すべきであるが、本体部に着脱可能であっても、その設計仕様に適合していない、より安価な付属品（非純正品）を使用するユーザが出現している。このような非純正品を使用する場合には、本体部の機能に悪影響を及ぼして故障の原因となる。また、画像形成装置の製造業者が、付属品の正当な売上高を得られないという問題もある。
【０００４】
このような事情から、本体部に装着された付属品が純正品であるか非純正品であるかを判別するシステムが必要である。そこで、本体部と付属品とにそれぞれメモリを備えさせ、それぞれのメモリから読み出した識別コードが一致するか否かにより、純正品，非純正品の判別を行うシステムが考案された。しかしながら、この手法では、識別コードがユーザに知れ渡った場合に判別の意味がなくなり、識別コードを知らない場合でも、例えば、使い終わった正規のトナーユニットに非純正のトナーを補充して使用することができるという問題がある。
【０００５】
また、単に識別コードを用いるだけでなく、暗号化・復号技術を利用して、純正品，非純正品の判別を行う手法が提案されている（例えば、特許文献１参照）。特許文献１における判別手法は、以下の通りである。まず、本体部側で乱数を発生し、発生した乱数を暗号化して付属品へ送る。付属品側で受信した暗号化データを復号して平文化し、平文化により得られた乱数と付属品のＩＤデータとを統合し、その統合結果を暗号化して本体部へ送る。本体部側で受信した暗号化データを復号して平文化し、平文化により得られるデータと、発生した乱数及び付属品のＩＤデータとを照合し、その照合結果に応じて、装着された付属品が純正品であるか否かを判別する。
【特許文献１】特開２００３−３０７９８２号公報
【発明の開示】
【発明が解決しようとする課題】
【０００６】
上述したような特許文献１の手法にあっては、暗号化データを復号して平文化するための手段が必要であるので、純正品であるか否かの判別処理が複雑であるという問題があり、また、装置構成の大型化が避けられないという問題もある。
【０００７】
本発明は斯かる事情に鑑みてなされたものであり、より簡素な装置構成を用いたより簡便な手法によって、電子機器（本体部）に装着された付属品が純正品であるか否かを正確に判別できる電子機器装置を提供することを目的とする。
【課題を解決するための手段】
【０００８】
請求項１に係る電子機器装置は、電子機器と、該電子機器に着脱自在に取り付けられる付属品とを備える電子機器装置において、前記電子機器及び付属品それぞれに設けられており、メッセージを生成する手段と、前記電子機器及び付属品それぞれに設けられており、生成したメッセージを送信する手段と、前記電子機器及び付属品それぞれに設けられており、送信されたメッセージを受信する手段と、前記電子機器及び付属品それぞれに設けられており、送信したメッセージと受信したメッセージとを合成する手段と、前記電子機器及び付属品それぞれに設けられており、合成したメッセージを同じ暗号化鍵で暗号化する暗号化手段と、前記付属品に設けられており、前記付属品側で暗号化した合成メッセージを送信する手段と、前記電子機器に設けられており、暗号化した合成メッセージを受信する手段と、前記電子機器に設けられており、受信した暗号化合成メッセージと自身が暗号化した合成メッセージとを比較する手段とを備えることを特徴とする。
【０００９】
請求項１にあっては、電子機器側及び付属品側それぞれでメッセージを生成し、生成したメッセージを互いに送信し合い、電子機器側及び付属品側それぞれで生成した（送信した）メッセージと受信したメッセージとを合成し、電子機器側及び付属品側それぞれで合成したメッセージを同じ暗号化鍵で暗号化し、付属品側で暗号化した合成メッセージを電子機器へ送信し、電子機器側で付属品から受信した暗号化合成メッセージと自身が暗号化した合成メッセージとを比較する。比較した結果、両暗号化合成メッセージが一致する場合には、装着された付属品が純正品であると判別し、一致しない場合には、純正品でない（非純正品である）と判別する。よって、暗号化データの状態で比較を行うため、引用文献１のような暗号化データを平文化する（復号する）処理が不要であり、簡素な装置構成を用いてより簡便に純正品，非純正品の判別を行える。
【００１０】
請求項２に係る電子機器装置は、請求項１において、前記付属品は複数種存在しており、該複数種の付属品それぞれに設けられている前記暗号化手段で使用する前記暗号化鍵が異なっており、前記電子機器には前記複数種の付属品それぞれの暗号化手段と同じ暗号化鍵をそれぞれに有する複数の暗号化手段が設けられており、取り付けられる付属品の種類に応じて前記電子機器の前記複数の暗号化手段から一つの暗号化手段を選択するようにしたことを特徴とする。
【００１１】
請求項２にあっては、複数種類の付属品毎に暗号化用の暗号化鍵が異なっており、電子機器側で装着された付属品の種類に応じて暗号化時に使用する暗号化鍵を選択して、両暗号化合成メッセージが一致するか否かを判断する。よって、装置構成の大型化を招くことなく、各種類の付属品毎に独立的に正しく純正品，非純正品の判別を行える。
【００１２】
請求項３に係る電子機器装置は、請求項１において、前記付属品の動作プログラムを記憶する媒体に、前記暗号化手段による暗号化動作を実行するためのプログラムが格納されていることを特徴とする。
【００１３】
請求項３にあっては、付属品の動作プログラムを記憶する媒体に、合成メッセージの暗号化動作を実行するためのプログラムを格納している。よって、ユーザにライセンスされるべき正規のプログラムであるか否かも判別可能となる。
【発明の効果】
【００１４】
本発明では、電子機器側及び付属品側それぞれでメッセージを生成し、生成したメッセージを互いに送信し合い、電子機器側及び付属品側それぞれで送信したメッセージと受信したメッセージとを合成し、電子機器側及び付属品側それぞれで合成したメッセージを同じ暗号化鍵で暗号化し、付属品側で暗号化した合成メッセージを電子機器へ送信し、電子機器側で付属品から受信した暗号化合成メッセージと自身が暗号化した合成メッセージとを比較するようにしたので、引用文献１のような暗号化データを平文化する処理が不要となるため、簡素な装置構成を用いてより簡便に純正品，非純正品の判別を行うことができる。
【００１５】
また、本発明では、複数種類の付属品毎に暗号化用の鍵を異ならせ、装着された付属品の種類に応じて電子機器側で暗号化時に使用する鍵を選択して、両暗号化合成メッセージを比較するようにしたので、装置構成の大型化を招くことなく、各種類の付属品毎に独立的に正しく純正品，非純正品の判別を行うことができる。
【００１６】
更に、本発明では、付属品の動作プログラムを記憶する媒体に、合成メッセージの暗号化動作を実行するためのプログラムを格納するようにしたので、装着された付属品だけでなく、ユーザにライセンスされるべき正規のプログラムであるか否かも判別することができる。
【発明を実施するための最良の形態】
【００１７】
以下、本発明をその実施の形態を示す図面を参照して具体的に説明する。図１は、本発明の電子機器装置としての複合機２０の構成を示すブロック図である。
【００１８】
複合機２０は、ＭＰＵ１，読取部２，記録部３，表示部４，操作部５，コーデック部６，ＲＯＭ７，ＲＡＭ８，画像メモリ９，モデム１０，ＮＣＵ（Network Control Unit）１１，デュアルポートＲＡＭ１２，インタフェースユニット１３などを備えている。複合機２０は、読取部２にて原稿を読み取って画像データを得る読取機能、読み取った画像データ、ファクシミリ通信により受信した画像データ、またはＬＡＮ５０を介して外部のＰＣ（Personal Computer)４０から受信した画像データに応じた画像を記録部３にて記録する記録機能、及び、読み取った画像データまたは受信した画像データをファクシミリ送信またはネットワーク送信する送信機能を併せ持っている。
【００１９】
ＭＰＵ１は、複合機２０の上述したようなハードウェア各部と接続されていて、それらを制御すると共に、ＲＯＭ７に格納された制御プログラムに従って、種々のソフトウェア的機能を実行する。読取部２は、例えばＣＣＤを利用した光学系で原稿を読み取り、読み取った画像データを出力する。
【００２０】
記録部３は、記録用の画像データの処理を行う画像処理回路３１と、画像処理回路３１に制御されて光を感光体ドラムへ照射するＬＥＤヘッド３２と、記録処理における各部材の動作を制御する記録機構制御回路３３と、トナーを収容するトナーユニット３４と、感光体ドラムを含むドラムユニット３５と、現像器を含む現像器ユニット３６とを有している電子写真方式のプリンタ装置であって、読取部２にて読み取った原稿の画像データ、ファクシミリ通信により受信した画像データ、外部のＰＣ４０から送られてきた画像データなどに応じた画像を用紙にプリントアウトする。これらの記録部３の構成部材の中で、トナーユニット３４，ドラムユニット３５及び現像器ユニット３６は、本体部（電子機器）に着脱可能な付属品であり、既存のトナーユニット３４内のトナーがなくなった場合、既存のドラムユニット３５または現像器ユニット３６の機能が劣化した場合には、新しいものが装着されて取り換えられる。また、トナーユニット３４は、ＭＰＵ３４ａとメモリ３４ｂとを有し、ドラムユニット３５は、ＭＰＵ３５ａとメモリ３５ｂとを有し、現像器ユニット３６は、ＭＰＵ３６ａとメモリ３６ｂとを有している。
【００２１】
表示部４は、液晶表示装置またはＣＲＴディスプレイ等の表示装置であり、複合機２０の動作状態を表示したり、ユーザへ操作入力を促す画面またはユーザへ警告を発する画面を表示したり、送信すべく読み取った原稿の画像データ、他のファクシミリ装置またはＰＣ４０から送信された画像データなどの表示を行う。操作部５は、複合機２０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。
【００２２】
コーデック部６は、画像データを符号化圧縮すると共に、符号化圧縮されている画像データを復号する。ＲＯＭ７は、複合機２０の動作に必要な種々のソフトウェアの制御プログラムを格納する。ＲＡＭ８は、ソフトウェアの実行時に発生する一時的なデータを記憶する。画像メモリ９は、ＤＲＡＭ等で構成され、原稿を読み取って符号化した画像データ、他のファクシミリ装置またはＰＣ４０から受信して符号化した画像データなどを蓄積する。
【００２３】
モデム１０は、ファクシミリ通信が可能なファクシミリモデムから構成されており、ＮＣＵ１１と直接的に接続されている。ＮＣＵ１１は、公衆電話回線網（ＰＳＴＮ：Public Switched Telephone Network)との回線の閉結及び開放の動作を行うハードウェアであり、必要に応じてモデム１０をＰＳＴＮと接続する。そして、複合機２０は、ＰＳＴＮによって他のファクシミリ装置と接続されており、通常のファクシミリ通信が行えるようになっている。
【００２４】
インタフェースユニット１３は、本体部に着脱可能な付属品であって、ＭＰＵ１３ａと、ＭＰＵメモリ１３ｃと、ＬＡＮ５０に接続されるＮＩＣ（Network Interface Card）部１３ｂとを有しており、ＬＡＮ５０を介して外部のＰＣ４０との間でデータのやりとりを行う。このインタフェースユニット１３における動作プログラムは、インタフェースユニット１３に対して着脱自在である記録媒体としてのコンパクトフラッシュ（登録商標）６０（例えば、米国サンディスク社，日本商標登録第４００６３０８号）から読み出されて内部に格納される。このインタフェースユニット１３は、ネットワーク通信機能のレベルに応じて複数種のものが存在しており、また、コンパクトフラッシュ６０も、ネットワーク通信機能のレベルに応じてグレードが異なる複数種のものが存在する。そして、対応する動作プログラムが格納されたコンパクトフラッシュ６０を選択して各種類のインタフェースユニット１３へ装着し、動作プログラムを取り込むことが正当である。なお、暗号化プログラムはＭＰＵメモリ１３ｃに格納されるが、暗号化に使用する鍵はコンパクトフラッシュ６０に格納されている。
【００２５】
本発明の複合機２０では、上述したような付属品（トナーユニット３４，ドラムユニット３５，現像器ユニット３６またはインタフェースユニット１３）が本体部に装着された場合、その装着された付属品が純正品であるか否かの判別を、本体部と付属品との間でのデータ通信により行う。より詳細には、本体部側及び付属品側それぞれでメッセージを生成し、生成したメッセージを互いに送信し合う。そして、本体部側及び付属品側それぞれで生成した（送信した）メッセージと受信したメッセージとを合成（例えばビット列の結合）し、本体部側及び付属品側それぞれで合成したメッセージを同じ鍵で暗号化する。付属品側で暗号化した合成メッセージを本体部へ送信し、本体部側で付属品から受信した暗号化合成メッセージと自身が暗号化した合成メッセージとを比較する。比較した結果、両暗号化合成メッセージが一致する場合には、装着された付属品が純正品であると判別し、一致しない場合には、純正品でない（非純正品である）と判別する。
【００２６】
このようにすることにより、付属品が純正品である場合には、本体部側と付属品側とで同じ鍵を有しているため、本体部側で得られる暗号化合成メッセージと付属品側で得られる暗号化合成メッセージとが一致し、付属品が純正品でない場合には、付属品側に本体部側と同じ鍵がないため、両暗号化合成メッセージは一致せず、純正品か非純正品かを判別できる。送付し合うメッセージ、または、付属品側から本体部側へ送る暗号化合成メッセージが露呈しても、この共通の鍵（演算手法）が分からない限り不正な処理は入り込めず安全である。なお、暗号化に使用する鍵は、各付属品毎に異なっており、本体部は各付属品それぞれに対応する複数種の鍵を持っていて、判別対象の付属品に合ったものを選択して使用する。
【００２７】
以上のようにして、本発明では、本体部（電子機器）に装着されたトナーユニット３４，ドラムユニット３５，現像器ユニット３６またはインタフェースユニット１３などの付属品が純正品であるか否かを容易に判別できる。この際、引用文献１と同様に暗号化処理は必要であるが、暗号化データの状態で比較検証を行うため、引用文献１のような暗号化データの復号処理は不要となる。従って、簡素な装置構成を用いてより簡便に純正品，非純正品の判別を行える。
【００２８】
純正品であることを判別した後は、これらの付属品（トナーユニット３４，ドラムユニット３５，現像器ユニット３６またはインタフェースユニット１３）のメモリ３４ｂ，３５ｂ，３６ｂ，１３ｂから、各付属品についての制御情報を本体部へ読み出すことができる。更に、各付属品のメモリ３４ｂ，３５ｂ，３６ｂ，１３ｂに対して本体部から各種の情報（交換日，記録枚数，ジャム発生回数，エラー発生履歴など）を書き込むことも可能である。なお、装着された付属品が非純正品であることを判別した場合は、エラー動作となる。
【００２９】
また、本発明にあっては、以下のようにして、コンパクトフラッシュ６０の使用によるインタフェースユニット１３への不正なアプリケーションプログラムの読込みを防止することができる。上述したような純正品の判別処理による付属品側の動作プログラムはＭＰＵメモリ１３ｃに格納し、暗号化に使用する鍵をコンパクトフラッシュ６０に予め格納しておくことにより、装着されたコンパクトフラッシュ６０自体が純正品であるか否かを判別できる。
【００３０】
複数種のインタフェースユニット１３のそれぞれにおいて、純正品の判別時の暗号化処理に使用する鍵が異なっている。取り付けられたインタフェースユニット１３が純正品であることを判別した後、内部のメモリ１３ｂからその種類を特定する情報を本体部が得る。そして、本体部において、その種類に応じた機能でしか動作できないように制御する。このようにすることにより、インタフェースユニット１３に対応しない異なる種類の動作プログラム（より高機能な動作プログラム）を読み込んだとしても、その動作プログラムを実行できないことになる。この結果、異なる種類の動作プログラムを読み込むことが無意味となるため、不正な動作プログラムの読込みを防止できる。
【００３１】
以下、付属品がトナーユニット３４である場合を例として、具体的な動作について説明する。図２，図３は、装着した付属品（トナーユニット３４）が純正品か否かの判別処理の動作手順の一例を示すフローチャートである。
【００３２】
本体部のＭＰＵ１にて、ランダムなメッセージmas-m(t)を生成する（ステップＳ１）。また、ドラムユニット３４のＭＰＵ３４ａにて、ランダムなメッセージsla-m(t)を生成する（ステップＳ２１）。ＭＰＵ１は、生成したメッセージmas-m(t)を送信し（ステップＳ２）、ＭＰＵ３４ａは、このメッセージmas-m(t)を受信する（ステップＳ２２）。また、ＭＰＵ３４ａは、生成したメッセージsla-m(t)を送信し（ステップＳ２３）、ＭＰＵ１は、このメッセージsla-m(t)を受信する（ステップＳ３）。
【００３３】
ＭＰＵ１は、自身が生成したメッセージmas-m(t)と受信したメッセージsla-m(t)とを合成して合成メッセージmes(t)（＝mas-m(t)＋sla-m(t)）を得る（ステップＳ４）。また、ＭＰＵ３４ａは、自身が生成したメッセージsla-m(t)と受信したメッセージmas-m(t)とを結合して合成メッセージmes(t)（＝mas-m(t)＋sla-m(t)）を得る（ステップＳ２４）。ＭＰＵ１とＭＰＵ３４ａとで得られる合成メッセージは一致する。
【００３４】
ＭＰＵ１は、トナーユニット３４用の鍵ftを用いて合成メッセージmes(t)を暗号化し、暗号化合成メッセージmas-(t)mes（＝ft(mes(t))）を得る（ステップＳ５）。また、ＭＰＵ３４ａは、ＭＰＵ１と同じ鍵ftを用いて合成メッセージmes(t)を暗号化し、暗号化合成メッセージsla-(t)mes（＝ft(mes(t))）を得る（ステップＳ２５）。ＭＰＵ３４ａは、得た暗号化合成メッセージsla-(t)mesを送信し（ステップＳ２６）、ＭＰＵ１は、この暗号化合成メッセージsla-(t)mesを受信する（ステップＳ６）。
【００３５】
ＭＰＵ１は、自身が暗号化した暗号化合成メッセージmas-(t)mesと、トナーユニット３４（ＭＰＵ３４ａ）から受信した暗号化合成メッセージsla-(t)mesとが一致するか否かを判断する（ステップＳ７）。一致する場合（Ｓ７：ＹＥＳ）、ＭＰＵ１は、メモリ３４ｂに格納されているデータの要求をトナーユニット３４へ送信する（ステップＳ８）。ＭＰＵ３４ａは、この要求を受信し（ステップＳ２７）、データを本体部（ＭＰＵ１）へ送信する（ステップＳ２８）。ＭＰＵ１は、このデータを受信して本体部内に記憶する（ステップＳ９）。
【００３６】
一方、両暗号化合成メッセージが一致しない場合（Ｓ７：ＮＯ）、ＭＰＵ１は、「正規のトナーユニットを装着して下さい」というメッセージを表示部４に表示させて（ステップＳ１０）、トナーユニット３４に関する動作を禁止する（ステップＳ１１）。
【００３７】
図４は、装着した付属品（トナーユニット３４）に本体部からデータを書き込む動作手順の一例を示すフローチャートである。このようなデータ書込みは、装着した付属品（トナーユニット３４）が純正品であることが判別された後に行われる。
【００３８】
ＭＰＵ１は、データ受信命令をトナーユニット３４へ送信し（ステップＳ３１）、トナーユニット３４（ＭＰＵ３４ａ）は、このデータ受信命令を受信する（ステップＳ４１）。ＭＰＵ３４ａは、データ受信可能であるか否かを判断する（ステップＳ４２）。ＭＰＵ３４ａは、データ受信可能である場合に（Ｓ４２：ＹＥＳ）応答信号 "Ready"をセットし（ステップＳ４３）データ受信可能でない場合に（Ｓ４２：ＮＯ）応答信号 "Busy" をセットして（ステップＳ４４）、いずれかの応答信号を本体部へ送信する（ステップＳ４５）。
【００３９】
本体部（ＭＰＵ１）は、この応答信号を受信する（ステップＳ３２）。ＭＰＵ１，ＭＰＵ３４ａは、応答信号 "Ready"であるか否かを判断し（ステップＳ３３，ステップＳ４６）、そうでない場合には（Ｓ３３：ＮＯ，Ｓ４６：ＮＯ）動作がリターンとなる。
【００４０】
応答信号 "Ready"である場合（Ｓ３３：ＹＥＳ，Ｓ４６：ＹＥＳ）、ＭＰＵ１はデータを送信し（ステップＳ３４）、ＭＰＵ３４ａは、このデータを受信してメモリ３４ｂに記憶する（ステップＳ４７）。ＭＰＵ３４ａは、確認信号を送信し（ステップＳ４８）、ＭＰＵ１は、この確認信号を受信する（ステップＳ３５）。
【００４１】
以上のように本体部とトナーユニット３４との間でデータの送受信を行うことにより、トナー容器は正規のものであるが、その内部に正規でないトナーを詰め込むような不正を防止することができる。
【００４２】
なお、上述した実施の形態では、トナーユニット３４、ドラムユニット３５及び現像器ユニット３６をそれぞれ独立的に交換する場合について説明したが、これらの各ユニット機能を１台に搭載してなる一体ユニットを用いる場合にも、付属品であるこの一体ユニットに対して本発明を同様に適用できることは勿論である。また、着脱自在な記録媒体としてコンパクトフラッシュを用いることとしたが、スマートメディア（例えば、株式会社東芝，日本商標登録第４１５８１１７号）、ＩＣカード、ＲＯＭなどを使用しても良い。更に、複合機を例として説明したが、ファクシミリ装置，プリンタ装置，コピー装置などの他の電子機器においても、本発明を同様に実施できることは言うまでもない。
【図面の簡単な説明】
【００４３】
【図１】本発明の複合機の構成を示すブロック図である。
【図２】装着した付属品が純正品か否かの判別処理の動作手順の一例を示すフローチャートである。
【図３】装着した付属品が純正品か否かの判別処理の動作手順の一例を示すフローチャートである。
【図４】装着した付属品に本体部からデータを書き込む動作手順の一例を示すフローチャートである。
【符号の説明】
【００４４】
１  ＭＰＵ
３  記録部
７  ＲＯＭ
１３  インタフェースユニット
３４  トナーユニット
３５  ドラムユニット
３６  現像器ユニット
１３ａ，３４ａ，３５ａ，３６ａ  ＭＰＵ
３４ｂ，３５ｂ，３６ｂ  メモリ
２０  複合機
６０  コンパクトフラッシュ
【図１】
2005260489.tif 000003
【図２】
2005260489.tif 000004
【図３】
2005260489.tif 000005
【図４】
2005260489.tif 000006